(57)【要約】【課題】中駒１の弾性片１Ｂによる芯４の保持力が大きくならず、確実に芯４を繰り出すことができるシャープペンシルを実現した。【解決手段】中駒１に長手方向後方に伸びた弾性片１Ｂを形成し、この弾性片ＩＢの内側に形成した突部１Ｃにより芯４を適宜の力で保持する。また、中駒１に圧入固着された芯ガイドパイプ２は、後部が中駒１の弾性片１Ｂの内側に挿入される。そして、過度に弾性片１Ｂが内側に傾いて成形された場合には、芯ガイドパイプ２が弾性片１Ｂの内面に圧接して弾性片１Ｂが内側に傾くのを規制する。【選択図】        図１
2009000956.tif 000002
【特許請求の範囲】
【請求項１】
芯ガイドパイプの後部に中駒を固着し、この中駒を先部材内に摺動可能に内蔵したシャープペンシルにおいて、中駒に長手方向後方に伸びた弾性片を形成し、その弾性片の内側に形成した突部により芯を適宜の力で保持するとともに、芯ガイドパイプの後部が中駒の弾性片の内側に挿入されることを特徴とするシャープペンシル。
【請求項２】
中駒の弾性片が過度に内側に傾いて成形された場合には、中駒の弾性片の内側に挿入される芯ガイドパイプが弾性片の内面に圧接し、弾性片が規定寸法以上に内側に傾くことを規制して、芯を適宜の力で保持することを特徴とする請求項１記載のシャープペンシル。
【発明の詳細な説明】
【技術分野】
【０００１】
本発明は、芯ガイドパイプに固着された中駒を先部材内に摺動可能に内蔵し、中駒の弾性片により芯を保持するシャープペンシルに関する。
【背景技術】
【０００２】
従来、芯ガイド（本願発明における芯ガイドパイプに相当）の後端にスライダ部材（本発明における中駒に相当）を固定し、このスライダの弾性の摺接片（本発明における弾性片に相当）で芯を一定の摩擦抵抗で支持するシャープペンシルの芯出しスライダが知られている。（特許文献１参照）
【特許文献１】実開昭６３−２１０８３号公報
【発明の開示】
【発明が解決しようとする課題】
【０００３】
上記したシャープペンシルの芯出しスライダは、摺接片が内側に傾きすぎて成形されてしまうと、芯との摩擦抵抗が大きくなり、芯繰り出しが出来なくなってしまう恐れがあった。また、摺接片の傾きを規定する為には成形条件をきびしく管理しなければならずコスト高になってしまうものであった。
本発明は、上記課題を解消するシャープペンシルを提供することを目的とするものである。
【課題を解決するための手段】
【０００４】
本発明は、芯ガイドパイプの後部に中駒を固着し、この中駒を先部材内に摺動可能に内蔵したシャープペンシルにおいて、中駒に長手方向後方に伸びた弾性片を形成し、その弾性片の内側に形成した突部により芯を適宜の力で保持するとともに、芯ガイドパイプの後部が中駒の弾性片の内側に挿入されることを第１の要旨とする。
【０００５】
また、中駒の弾性片が過度に内側に傾いて成形された場合には、中駒の弾性片の内側に挿入される芯ガイドパイプが弾性片の内面に圧接し、弾性片が規定寸法に拡開されて芯を適度の力で保持することを第２の要旨とする。
【発明の効果】
【０００６】
本発明は、中駒の弾性片の内側に芯ガイドパイプを挿入することにより、弾性片が過度に内側に傾きすぎることを規制し、弾性片による芯の保持力を常に一定に保つことができるという効果が奏せられるものである。
【発明を実施するための最良の形態】
【０００７】
中駒の弾性片による芯の保持力が過度に大きくなるのを規制し、確実に芯が繰り出せるシャープペンシルを実現した。
【実施例１】
【０００８】
図１及び図２により本発明の実施例１のシャープペンシルを説明する。尚、図１の左側を前方とし、右側を後方とする。先ず、合成樹脂製の中駒１の基部１Ａから長手方向後方に伸びた弾性片１Ｂを円周方向等間隔に３個形成し、それぞれの弾性片１Ｂの後部内側に突部１Ｃを形成する。また、それぞれの弾性片１Ｂの中間部内側に係止段１Ｄを形成する。更に、基部１Ａに長手方向後方に伸びた外側弾性片１Ｅを前記弾性片１Ｂを覆うように円周方向等間隔に３個形成する。更に、それぞれの外側弾性片１Ｅの後部外側に突部１Ｆを形成する。
【０００９】
この中駒１の前部に、ステンレスパイプからなる芯ガイドパイプ２を圧入固着するとともに、芯ガイドパイプ２の後部を中駒１の弾性片１Ｂの内側に挿入し、芯ガイドパイプ２の後端を弾性片１Ｂの係止段１Ｄに当接する。したがって、芯ガイドパイプ２の後部を中駒１の弾性片１Ｂの内面に圧接することにより弾性片１Ｂが過度に内側に傾くことを規制する。
【００１０】
この中駒１を先部材３内に摺動可能に挿入し、芯ガイドパイプ２の先端を先部材３の先端より突出させる。また、中駒１の弾性片１Ｂに形成された突部１Ｃが芯４と摩擦接触し、芯４を適度の力で保持する。更に、中駒１の外側弾性片１Ｅに形成された突部１Ｆが先部材３の内面３Ａと適度の力で摩擦接触する。
【００１１】
次に、チャック５、締具６、固定具７、スプリング８、コネクター９及び芯タンク１０からなる機構部を軸筒１１の前方より挿入する。この軸筒１１の雄ネジ部１１Ａに前記先部材３の雌ネジ部３Ｂを螺合し、リブ３Ｃの段部と軸筒１１の前端により固定具７を挾持し、ノック式のシャープペンシルを構成する。
【００１２】
以上説明したノック式のシャープペンシルは、中駒１の弾性片１Ｂの内側に芯ガイドパイプ２の後部が挿入されているので、中駒１の成形時に過度に弾性片１Ｂが内側に傾いて成形されてしまっても、芯ガイドパイプ２の後部が弾性片１Ｂの内面に圧接して弾性片１Ｂの傾きを修正する。したがって、中駒１の弾性片１Ｂによる芯４の保持力は規定された保持力となる。したがって、チャック５を前進させることにより芯４を繰り出すが、中駒１の弾性片１Ｂによる芯４の保持力は規定された保持力となっているので、確実に芯４を繰り出すことができる。
【実施例２】
【００１３】
図３及び図４は本発明の実施例２の中駒１０１を示したものである。合成樹脂製の中駒１０１の基部１０１Ａから長手方向後方に伸びた弾性片１０１Ｂを形成するとともに、弾性片１０１Ｂと対向する位置に支持部１０１Ｇを形成する。この支持部１０１Ｇは断面が１８０度以上の円弧で構成する。更に、前記弾性片１０１Ｂの後部内側には突部１０１Ｃが形成されるとともに、弾性片１０１Ｂの中間部に係止段１０１Ｄを形成する。また、前記支持部１０１Ｇの中間部にも係止段１０１Ｈを形成する。
【００１４】
この中駒１０１の前部に芯ガイドパイプ２を圧入固着するとともに、芯ガイドパイプ２の後部を中駒１０１の弾性片１０１Ｂの内側に挿入し、芯ガイドパイプ２の後部を中駒１０１の弾性片１０１Ｂに形成した係止段１０１Ｄと支持部１０１Ｇに形成した係止段１０１Ｈに当接する。したがって、芯ガイドパイプ２の後部を中駒１０１の弾性片１０１Ｂの内面に圧接することにより弾性片１０１Ｂが過度に内側に傾くことを規制する。
【００１５】
この実施例２の場合には、芯ガイドパイプ２を中駒１０１に圧入固着する時、支持部１０１Ｇの係止段１０１Ｈにより芯ガイドパイプ２が確実に停止するので、確実に取り付けることができる。
【産業上の利用可能性】
【００１６】
中駒の弾性片による芯の保持力が過度に大きくならないので、確実に芯を繰り出せるシャープペンシルに適用できる。
【図面の簡単な説明】
【００１７】
【図１】本発明の実施例１のシャープペンシルを示す主要部断面図である。（実施例１）
【図２】図１のＡ−Ａ線を示す拡大断面図である。（実施例１）
【図３】本発明の実施例２の芯ガイドパイプと中駒を示す拡大部分断面図である。（実施例２）
【図４】図３のＡ−Ａ線を示す拡大断面図である。（実施例２）
【符号の説明】
【００１８】
１  中駒
１Ｂ  中駒１の弾性片
１Ｃ  中駒１の突部
２  芯ガイドパイプ
３  先部材
４  芯
１０１  中駒
１０１Ｂ  中駒１０１の弾性片
１０１Ｃ  中駒１０１の突部
【図１】
2009000956.tif 000003
【図２】
2009000956.tif 000004
【図３】
2009000956.tif 000005
【図４】
2009000956.tif 000006